(57)【要約】  光源からの熱により導光板が膨張したとしても、導光板が光源に接触することを防止することができる光源装置及び表示装置の提供。  導光板と、導光板の側面に対向配置された光源とを備え、側面から入射した光源からの光を導光板の一面側へ出射する光源装置において、導光板の周縁を一面側から覆う枠体と、光源を前記導光板の他面側から支持する放熱体とを備え、枠体は、光源と導光板の側面との間に配され、導光板の側面が光源に接触することを防止する接触防止部を有し、放熱体及び接触防止部における光源に臨む部位はそれぞれ光反射性を有する。
2016139780.tif 000002
【特許請求の範囲】
【請求項１】
導光板と、該導光板の側面に対向配置された光源とを備え、前記側面から入射した前記光源からの光を前記導光板の一面側へ出射する光源装置において、
前記導光板の周縁を前記一面側から覆う枠体と、
前記光源を前記導光板の他面側から支持する放熱体と
を備え、
前記枠体は、前記光源と前記側面との間に配され、前記側面が前記光源に接触することを防止する接触防止部を有し、
前記放熱体及び前記接触防止部における前記光源に臨む部位はそれぞれ光反射性を有する
ことを特徴とする光源装置。
【請求項２】
前記接触防止部は、光反射性樹脂により形成されていることを特徴とする請求項１に記載の光源装置。
【請求項３】
前記放熱体は、
前記接触防止部の側へ突設された突設部と、
該突設部における前記接触防止部との対向面に貼着された光反射性シートと
を備えることを特徴とする請求項１に記載の光源装置。
【請求項４】
前記光源は、
短冊状の基板と、
該基板の長手方向に沿って実装された複数のＬＥＤと
を備え、
前記接触防止部は、前記複数のＬＥＤを囲繞する周壁を備えることを特徴とする請求項１から請求項３の何れか１つに記載の光源装置。
【請求項５】
前記光源は、
短冊状の基板と、
該基板の長手方向に沿って実装された複数のＬＥＤと
を備え、
前記接触防止部は、前記複数のＬＥＤの夫々を囲繞する複数の周壁を備えることを特徴とする請求項１から請求項３の何れか１つに記載の光源装置。
【請求項６】
請求項１から請求項５の何れか１つに記載の光源装置と、
該光源装置が備える導光板の一面側に対向配置された表示パネルと
を備えることを特徴とする表示装置。
【発明の詳細な説明】
【技術分野】
【０００１】
本発明は、エッジライト方式の光源装置及び表示装置に関する。
【背景技術】
【０００２】
液晶テレビジョン等の薄型と称される液晶の表示装置は、映像を表示する表示面を正面側に有し、略直方体をなす表示パネルと、表示パネルの背面側に配され、表示パネルに対して光を照射する光源装置とを備える。【０００３】
光源装置は、表示パネルの背面側に拡散板及び該拡散板を支持する支持体を配し、拡散板の背面側に冷陰極蛍光ランプ（ＣＣＦＬ）、発光ダイオード（ＬＥＤ）等の光源を配置する直下ライト方式と、表示パネルの背面側に導光板及び該導光板を支持する支持体を配し、導光板の側面に対向させて発光ダイオードを配置するエッジライト方式とが一般に採用されている（例えば、特許文献１参照）。【０００４】
エッジライト方式の光源装置は、発光ダイオードが導光板の側面と対向するように複数並置され、導光板の側面から入光した光を、導光板内を拡散させながら導光板の一面から出光するため、拡散板の背面側に光源が複数並置される直下ライト方式に比べて表示装置の表裏厚さを薄くすることができ、薄型化を促進する点でエッジライト方式を採用するのが有利である。
【先行技術文献】
【特許文献】
【０００５】
【特許文献１】特開２００８−３００１７０号公報
【発明の概要】
【発明が解決しようとする課題】
【０００６】
直下ライト方式の光源装置では、冷陰極蛍光ランプ又は発光ダイオードが拡散板の全面と対向するように複数並置されているため、光源部が発光する際に発生する熱が金属板製の支持体の全体に伝導され、支持体の全体において放熱が可能となる。【０００７】
一方、エッジライト方式の光源装置では、光源部と導光板との間隔が広い場合には光の入光効率が低下し、要求輝度を満足することができないため、一般的には光源部と導光板との間隔を狭く設計してあることが多い。このため、光源部が発光する際に発生する熱は導光板に伝動することになるが、導光板の線膨張係数は高いため、光源部からの熱により導光板は膨張して光源部に接触し、光源部を破損させる可能性があった。【０００８】
本発明は、斯かる事情に鑑みてなされたものであり、光源からの熱により導光板が膨張したとしても、導光板が光源に接触することを防止することができる光源装置及び表示装置を提供することを目的とする。
【課題を解決するための手段】
【０００９】
本願の光源装置は、導光板と、該導光板の側面に対向配置された光源とを備え、前記側面から入射した前記光源からの光を前記導光板の一面側へ出射する光源装置において、前記導光板の周縁を前記一面側から覆う枠体と、前記光源を前記導光板の他面側から支持する放熱体とを備え、前記枠体は、前記光源と前記側面との間に配され、前記側面が前記光源に接触することを防止する接触防止部を有し、前記放熱体及び前記接触防止部における前記光源に臨む部位はそれぞれ光反射性を有することを特徴とする。【００１０】
本願の光源装置は、前記接触防止部は、光反射性樹脂により形成されていることを特徴とする。【００１１】
本願の光源装置は、前記放熱体は、前記接触防止部の側へ突設された突設部と、該突設部における前記接触防止部との対向面に貼着された光反射性シートとを備えることを特徴とする。【００１２】
本願の光源装置は、前記光源は、短冊状の基板と、該基板の長手方向に沿って実装された複数のＬＥＤとを備え、前記接触防止部は、前記複数のＬＥＤを囲繞する周壁を備えることを特徴とする。【００１３】
本願の光源装置は、前記光源は、短冊状の基板と、該基板の長手方向に沿って実装された複数のＬＥＤとを備え、前記接触防止部は、前記複数のＬＥＤの夫々を囲繞する複数の周壁を備えることを特徴とする。【００１４】
本願の表示装置は、前述の光源装置と、該光源装置が備える導光板の一面側に対向配置された表示パネルとを備えることを特徴とする。
【発明の効果】
【００１５】
本願によれば、光源からの熱により導光板が膨張したとしても、導光板が光源に接触することを防止することができ、しかも光源から発せられる光の利用効率を高めることとができる。
【図面の簡単な説明】
【００１６】
【図１】実施の形態１に係る表示装置の分解斜視図である。
【図２】実施の形態１に係る表示装置の縦断面図である。
【図３】実施の形態１に係る表示装置の一部を拡大して示す縦断面図である。
【図４】図３のＩＶ−ＩＶ線における断面図である。
【図５】実施の形態２に係る表示装置の一部を拡大して示す縦断面図である。
【図６】図５のＶＩ−ＶＩ線における断面図である。
【図７】実施の形態３における接触防止部を示す断面図である。
【図８】実施の形態４における接触防止部を示す断面図である。
【発明を実施するための形態】
【００１７】
以下、本発明をその実施の形態を示す図面に基づいて具体的に説明する。
（実施の形態１）
図１は実施の形態１に係る表示装置の分解斜視図であり、図２は実施の形態１に係る表示装置の縦断面図である。本実施の形態に係る表示装置は、矩形板状の液晶パネル１と、液晶パネル１の背面側に配置されるエッジライト方式の光源装置２とを備えた液晶表示装置である。
【００１８】
液晶パネル１は、例えば２次元マトリクス状に配列された複数の液晶表示素子を備える矩形状の表示パネルである。
【００１９】
液晶パネル１と光源装置２との間には光学シート群３が配置される。光学シート群３は、例えば、拡散シート３１、プリズムシート３２、及び偏光シート３３を含む。拡散シート３１は、例えば、ＰＥＴ製フィルムまたはＰＣ製フィルムであり、導光板２２から入光する光を拡散させる機能を有する。プリズムシート３２は、例えば、ポリエステル製のシート材の片面にアクリル樹脂で規則的なプリズムパターンを成形してなるシートである。偏光シート３３は、例えば、ポリエチレンナフタレート製フィルムであり、液晶パネル１に入光させる光を直線偏光に変換する機能を有する。
【００２０】
光源装置２は、光源部２１、導光板２２、ヒートスプレッダ２３、バックライトシャーシ２４、パネルシャーシ２５等を備え、光源部２１から出射される光を導光板２２により液晶パネル１側（正面側）へ導き、光学シート群３を透過させた光を液晶パネル１に照射する。
【００２１】
光源部２１は、短冊状の基板２１０と、基板２１０の長手方向に沿って略等間隔に実装された複数のＬＥＤチップ２１１，２１１，…，２１１とを有する。ＬＥＤチップ２１１は、例えば、発光ダイオード素子と、当該発光ダイオード素子を覆う蛍光体と、これらを収容する収容体とをパッケージ化したものである。各ＬＥＤチップ２１１は、扁平な直方体形状であり、例えば、基板２１０の長手方向に５ｍｍ、短手方向に３ｍｍ、基板面からの高さが１ｍｍ程度の寸法を有する。
【００２２】
導光板２２は、透明度の高いアクリル樹脂、ポリカーボネート樹脂等の合成樹脂製であり、矩形板状に形成されている。導光板２２の１つの側面２２１は、光源部２１のＬＥＤチップ２１１，２１１，…，２１１と対向するように配置され、導光板２２の背面には高反射性を有する合成樹脂製の反射シート２７が設けられている。導光板２２の厚みは、例えば４〜５ｍｍ程度であり、ＬＥＤチップ２１１の幅より少しだけ広いものが用いられる。
【００２３】
導光板２２は、側面２２１から入射した光源部２１からの光を正面側（液晶パネル１側）へ出射する。このため、導光板２２は、側面２２１から入光した光を正面側へ出射させるための採光要素を備える。採光要素としては、導光板２２の背面側に印刷、成形などによって形成された光散乱構造体、導光板２２の内部に形成された光散乱構造体、光の導光方向を変化させる光学要素などを用いることができる。導光板２２の採光要素によって散乱した光、及び反射シート２７の表面で反射した光は、正面側へ射出される。
【００２４】
なお、本実施の形態では、導光板２２の１つの側面２２１（例えば、表示装置の下端側の側面）に対向するように光源部２１を配置する構成について説明を行うが、導光板２２の対向する２つの側面（例えば、表示装置の下端側及び上端側の側面）のそれぞれに対向するように光源部２１を２つ配置する構成であってもよい。
【００２５】
ヒートスプレッダ２３は、浅底の箱形状をなす放熱体である。ヒートスプレッダ２３は、例えば熱伝動性に優れたアルミニウム等により形成されており、導光板２２より少しだけ大きい矩形状の底板部２３１と、底板部２３１の周縁部から導光板２２側に立ち上げた４つの側壁部２３２，２３２，２３２，２３２とを備える。
【００２６】
４つの側壁部２３２，２３２，２３２，２３２のうち、１つの側壁部２３２（例えば、下端側の側壁部２３２）の内周面２３２ａには、１又は複数のビス孔（不図示）が設けられている。また、光源部２１の基板２１０は、ヒートスプレッダ２３側のビス孔に対応した１又は複数の挿通孔（不図示）を有する。光源部２１は、側壁部２３２の内周面２３２ａが備えるビス孔を通じて基板２１０がビス止めされることによって、ヒートスプレッダ２３により支持される。以上の構成により、光源部２１にて発生した熱は、ヒートスプレッダ２３を通じて外部へ放出される。
【００２７】
ヒートスプレッダ２３の底板部２３１は、光源部２１と導光板２２の側面２２１との間にて、光源部２１側へ突設された突設部２３３を備える。突設部２３３は、ＬＥＤチップ２１１に接触しない程度の高さを有し、ＬＥＤチップ２１１を臨む部位２３３ａには反射シート２３４が貼着されている。よって、光源部２１から発せられる光の一部は、導光板２２の背面側へ抜けることなく、反射シート２３４の表面にて反射され、導光板２２の側面２２１に入射する。
【００２８】
バックライトシャーシ２４は、ヒートスプレッダ２３の底板部２３１と導光板２２との間に介在し、導光板２２を反射シート２７側から支持する支持部材である。
【００２９】
パネルシャーシ２５は、ヒートスプレッダ２３より少しだけ大きい額縁状の枠体であり、例えば白色系の樹脂により成形される。パネルシャーシ２５は、例えば、光源部２１及び導光板２２がヒートスプレッダ２３及びバックライトシャーシ２４により支持された状態にて、導光板２２の周縁を表示装置の正面側から覆うようにヒートスプレッダ２３に取り付けられる。
【００３０】
パネルシャーシ２５は、開口部２５０を有する遮蔽部２５１と、遮蔽部２５１の周縁から垂直に連なる４つの側壁部２５２，２５２，２５２，２５２とを備える。遮蔽部２５１の正面側には、開口部２５０の周縁に沿って、液晶パネル１を保持するパネル保持部２５３、及び光学シート群３を保持するシート保持部２５４が設けられている。また、遮蔽部２５１の背面側には、光源部２１側へ突設された接触防止部２５５を備える。接触防止部２５５は、基板２１０の長手方向に沿う方向に延設されており、基板２１０の長手方向の幅と同程度の幅を有する。また、接触防止部２５５及びパネル保持部２５３の連接部にはアールが設けられている。
【００３１】
パネルシャーシが２５がヒートスプレッダ２３に取り付けられた場合、パネルシャーシ２５の側壁部２５２の内周面はヒートスプレッダ２３の側壁部２３２の外周面に当接し、遮蔽部２５１は導光板２２の周縁を覆うと共に、接触防止部２５５は導光板２２の側面２２１と光源部２１との間に位置するように構成されている。
【００３２】
また、パネルシャーシ２５のパネル保持部２５３及びシート保持部２５４には、それぞれ液晶パネル１及び光学シート群３が載置される。液晶パネル１及び光学シート群３がそれぞれパネル保持部２５３及びシート保持部２５４に載置された状態にて、ベゼル１０は光源装置２に取り付けられる。
【００３３】
ベゼル１０は、パネルシャーシ２５より少しだけ大きい額縁状の枠体である。ベゼル１０の背面側には、開口部に沿って、液晶パネル１の周縁に当接する当接部位１０１を備える。ベゼル１０は、光源装置２（パネルシャーシ２５のパネル保持部２５３）に載置された液晶パネル１の周縁を表示装置の正面側から覆う。ベゼル１０が光源装置２に取り付けられた場合、図２に示すように、ベゼル１０の当接部位１０１は液晶パネル１の周縁に当接し、ベゼル１０の内周面はパネルシャーシ２５の側壁部２５２の外周面に当接する。よって、液晶パネル１は、ベゼル１０の背面側の当接部位１０１と、パネルシャーシ２５のパネル保持部２５３との間に保持される。
【００３４】
以上により、本実施の形態に係る表示装置が構成される。表示装置は、光源装置２を用いて液晶パネル１の背面側から光を照射すると共に、液晶パネル１に配列されている各液晶表示素子を図に示していない駆動回路により駆動制御し、各液晶表示素子（各画素）における光の透過率を調整することにより、画像表示を行う。
【００３５】
図３は実施の形態１に係る表示装置の一部を拡大して示す縦断面図である。実施の形態１に係る表示装置は、パネルシャーシ２５の側壁部２５２の内周面がヒートスプレッダ２３の側壁部２３２の外周面に当接し、遮蔽部２５１が導光板２２の周縁を覆うと共に、接触防止部２５５は導光板２２の側面２２１と光源部２１との間に位置するように構成されている。パネルシャーシ２５は、例えば白色系の樹脂により成形されているため、光源部２１から発せられる光の一部は、パネルシャーシ２５を透過することなく、遮蔽部２５１（特に接触防止部２５５）の表面で反射され、導光板２２の側面２２１に入射する。
【００３６】
また、ヒートスプレッダ２３の底板部２３１は、光源部２１と導光板２２の側面２２１との間にて光源部２１側へ突設された突設部２３３を備える。この突設部２３３のＬＥＤチップ２１１を臨む部位２３３ａには、反射シート２３４が貼着されている。よって、光源部２１から発せられる光の一部は、導光板２２の背面側へ抜けることなく、反射シート２３４の表面で反射され、導光板２２の側面２２１に入射する。
【００３７】
よって、本実施の形態では、光源部２１から発せられる光が表示装置の正面側（表示画面側）に漏れることが防止されると共に、表示装置の正面側及び背面側へ照射される光をそれぞれ接触防止部２５５及び反射シート２３４で反射して導光板２２の側面２２１に入射させることで、光の利用効率を高めることができる。
【００３８】
なお、本実施の形態では、パネルシャーシ２５を白色系の樹脂で成形することにより、遮蔽部２５１（特に接触防止部２５５）にて光源部２１からの光を反射する構成としたが、接触防止部２５５のＬＥＤチップ２１１を臨む位置に反射シートを貼着することで光反射性を持たせる構成であってもよく、白色系の塗料を塗布することにより光反射性を持たせる構成であってもよい。
【００３９】
また、本実施の形態では、ＬＥＤチップ２１１を臨む突設部２３３の部位２３３ａに反射シート２３４を貼着する構成としたが、当該部位２３３ａに白色系の塗料を塗布することにより光反射性を持たせる構成であってもよく、当該部位２３３ａを鏡面仕上げとすることにより光反射性を持たせる構成としてもよい。
【００４０】
図４は図３のＩＶ−ＩＶ線における断面図である。接触防止部２５５と導光板２２との位置関係を説明するために、図４では、導光板２２の位置を破線により示している。本実施の形態では、光源部２１と導光板２２の側面２２１との間に接触防止部２５５が配されているため、光源部２１にて発生する熱により、導光板２２が面内方向に膨張した場合には、導光板２２の側面２２１は接触防止部２５５に当接することとなり、ＬＥＤチップ２１１への接触が避けられる。このため、本実施の形態では、導光板２２の熱膨張に伴うＬＥＤチップ２１１の破損を回避することができる。
また、図３に示すように、接触防止部２５５のパネル保持部２５３の連接部にはアールが設けられているので、導光板２２の側面２２１が接触防止部２５５に当接した場合であっても、連接部分に応力が集中することが回避され、接触防止部２５５の破損又は変形を防止することができる。
【００４１】
以上のように、本実施の形態では、光源部２１から表示装置の正面側及び背面側へ照射される光は、それぞれ接触防止部２５５及び反射シートにより反射され、導光板２２の側面２２１に入射する。これにより、光源部２１から照射される光の有効利用を図ることができると共に、表示装置の正面側へ光が漏れることに伴う表示品質の低下を抑制することができる。また、本実施の形態では、光源部２１から発せられる熱により導光板２２が面内方向に膨張した場合であっても、導光板２２の側面２２１は接触防止部２５５に接触することとなり、導光板２２の側面２２１がＬＥＤチップ２１１に接触することを防止することができるので、ＬＥＤチップ２１１の破損を回避することができる。
【００４２】
（実施の形態２）
実施の形態２では、光源部２１が備えるＬＥＤチップ２１１，２１１，…，２１１の周囲を接触防止部により囲繞した形態について説明する。なお、実施の形態２における表示装置は、接触防止部以外の構成は実施の形態１と同様である。したがって、以下の説明では、実施の形態１と共通する構成については同一の符号を付し、詳細な説明を省略する。
【００４３】
図５は実施の形態２に係る表示装置の一部を拡大して示す縦断面図であり、図６は図５のＶＩ−ＶＩ線における断面図である。実施の形態２に係る表示装置は、導光板２２の周縁を覆うパネルシャーシ２５を備える。パネルシャーシ２５は、例えば白色系の樹脂により成形され、遮蔽部２５１及び側壁部２５２を備える。パネルシャーシ２５における遮蔽部２５１は、実施の形態１と同様に、液晶パネル１を保持するパネル保持部２５３、及び光学シート群３を保持するシート保持部２５４を正面側に備え、導光板２２が光源部２１に接触することを防止するための接触防止部２５６を背面側に備える。
【００４４】
パネルシャーシが２５が取り付けられた場合、パネルシャーシ２５の側壁部２５２の内周面はヒートスプレッダ２３の側壁部２３２の外周面に当接し、遮蔽部２５１は導光板２２の周縁を覆うと共に、接触防止部２５６は導光板２２の側面２２１と光源部２１との間に位置するように構成されている。
【００４５】
接触防止部２５６は、ＬＥＤチップ２１１，２１１，…，２１１の周囲を囲繞する周壁を備える。接触防止部２５６が備える周壁は、ＬＥＤチップ２１１より正面側に位置する正面側周壁部２５６ａ、ＬＥＤチップ２１１より背面側に位置する背面側周壁部２５６ｂ、及びＬＥＤチップ２１１の側面側に位置する側壁部２５６ｃ，２５６ｄにより構成される。
【００４６】
以上の構成を備えるので、実施の形態２では、光源部２１から表示装置の正面側及び背面側へ照射される光は、それぞれ接触防止部２５６における正面側周壁部２５６ａ及び背面側周壁部２５６ｂの内周面で反射され、反射された光が導光板２２の側面２２１に入射する。また、光源部２１から側方に照射される光は、側壁部２５６ｃ，２５６ｄの内周面で反射され、反射された光が導光板２２の側面２２１に入射する。よって、実施の形態２では、実施の形態１と比較して、光源部２１から発せられる光の利用効率をより高めることができる。
【００４７】
また、本実施の形態では、光源部２１と導光板２２の側面２２１との間に接触防止部２５６が配されているため、光源部２１にて発生する熱により導光板２２が面内方向に膨張した場合、導光板２２の側面２２１は接触防止部２５６が備える正面側周壁部２５６ａ、背面側周壁部２５６ｂ、及び側壁部２５６ｃ，２５６ｄに当接する。よって、導光板２２の側面２２１がＬＥＤチップ２１１に接触することを防止することができ、ＬＥＤチップ２１１の破損を回避することができる。
【００４８】
（実施の形態３）
実施の形態３では、光源部２１が備えるＬＥＤチップ２１１，２１１，…，２１１の夫々を接触防止部により囲繞した形態について説明する。なお、実施の形態３における表示装置は、接触防止部以外の構成は実施の形態１と同様である。したがって、以下の説明では、実施の形態１と共通する構成については同一の符号を付し、詳細な説明を省略する。
【００４９】
図７は実施の形態３における接触防止部２５７を示す断面図である。実施の形態３における接触防止部２５７は、ＬＥＤチップ２１１，２１１，…，２１１のそれぞれを囲繞する周壁を備える。接触防止部２５７が備える周壁は、ＬＥＤチップ２１１より正面側に位置する正面側周壁部２５７ａ、ＬＥＤチップ２１１より背面側に位置する背面側周壁部２５７ｂ、表示装置の側面側に位置する側壁部２５７ｃ，２５７ｄ、及び隣り合う２つのＬＥＤチップ２１１，２１１の間に位置する区画壁２５７ｅ，２５７ｅ，…，２５７ｅにより構成される。
【００５０】
以上の構成を備えるので、実施の形態３では、光源部２１から表示装置の正面側及び背面側へ照射される光は、それぞれ接触防止部２５７における正面側周壁部２５７ａ及び背面側周壁部２５７ｂの内周面で反射され、反射された光が導光板２２の側面２２１に入射する。また、光源部２１から側方に照射される光は、側壁部２５７ｃ，２５７ｄの内周面、または、区画壁２５７ｅ，２５７ｅ，…，２５７ｅの表面で反射され、反射された光が導光板２２の側面２２１に入射する。よって、実施の形態３では、光源部２１から発せられる光は導光板２２の側面２２１に漏れなく入射し、光の利用効率をより高めることができる。
【００５１】
また、本実施の形態では、光源部２１と導光板２２の側面２２１との間に接触防止部２５７が配されているため、光源部２１にて発生する熱により導光板２２が面内方向に膨張した場合、導光板２２の側面２２１は接触防止部２５７が備える正面側周壁部２５７ａ、背面側周壁部２５７ｂ、側壁部２５７ｃ，２５７ｄ、及び各区画壁２５７ｅ，２５７ｅ，…，２５７ｅに当接する。よって、導光板２２の側面２２１がＬＥＤチップ２１１に接触することを防止することができ、ＬＥＤチップ２１１の破損を回避することができる。
【００５２】
（実施の形態４）
実施の形態４では、光源部２１が備えるＬＥＤチップ２１１，２１１，…，２１１の一部を接触防止部材により囲繞した形態について説明する。なお、実施の形態４における表示装置は、接触防止部以外の構成は実施の形態１と同様である。したがって、以下の説明では、実施の形態１と共通する構成については同一の符号を付し、詳細な説明を省略する。
【００５３】
図８は実施の形態４における接触防止部２５８を示す断面図である。実施の形態４における接触防止部２５８は、ＬＥＤチップ２１１，２１１，…，２１１の一部を囲繞する周壁を備える。接触防止部２５８が備える周壁は、ＬＥＤチップ２１１より正面側に位置する正面側周壁部２５８ａ、表示装置の側面側に位置する側壁部２５８ｂ，２５８ｃ、及び隣り合う２つのＬＥＤチップ２１１，２１１の間に位置する脚壁部２５８ｄ，２５８ｄ，…，２５８ｄにより構成される。
【００５４】
以上の構成を備えるので、実施の形態４では、光源部２１から表示装置の正面側及び背面側へ照射される光は、それぞれ接触防止部２５８における正面側周壁部２５８ａの内周面及びヒートスプレッダ２３の突設部２３３に貼着された反射シート２３４により反射され、反射された光が導光板２２の側面２２１に入射する。また、光源部２１から側方に照射される光は、側壁部２５８ｂ，２５８ｃの内周面、または、脚壁部２５８ｄ，２５８ｄ，…，２５８ｄの表面で反射され、反射された光が導光板２２の側面２２１に入射する。よって、実施の形態４では、光源部２１から発せられる光は導光板２２の側面２２１に漏れなく入射し、光の利用効率をより高めることができる。
【００５５】
また、本実施の形態では、光源部２１と導光板２２の側面２２１との間に接触防止部２５８が配されているため、光源部２１にて発生する熱により導光板２２が面内方向に膨張した場合、導光板２２の側面２２１は接触防止部２５８が備える正面側周壁部２５８ａ、側壁部２５８ｂ，２５８ｃ、及び各脚壁部２５８ｄ，２５８ｄ，…，２５８ｄに当接する。よって、導光板２２の側面２２１がＬＥＤチップ２１１に接触することを防止することができ、ＬＥＤチップ２１１の破損を回避することができる。
【００５６】
今回開示された実施の形態は、全ての点で例示であって、制限的なものではないと考えられるべきである。本発明の範囲は、上述した意味ではなく、請求の範囲によって示され、請求の範囲と均等の意味及び範囲内での全ての変更が含まれることが意図される。また、各実施の形態で記載されている技術的特徴は、お互いに組み合わせることが可能である。
【００５７】
例えば、本実施の形態では、光源部２１としてＬＥＤチップ２１１を採用した構成について説明したが、冷陰極蛍光ランプ（ＣＣＦＬ：Cold Cathode Fluorescent Lamp）、外部電極蛍光ランプ（ＥＥＦＬ：External Electrode Fluorescent Lamp）、熱陰極蛍光ランプ（ＨＣＦＬ：Hot Cathode Fluorescent Lamp）等を採用する構成であってもよい。
【符号の説明】
【００５８】
１  液晶パネル
２  光源装置
２１  光源部
２２  導光板
２３  ヒートスプレッダ
２４  バックライトシャーシ
２５  パネルシャーシ
２３３  突設部
２３４  反射シート
２５５  接触防止部
【図１】
2016139780.tif 000003
【図２】
2016139780.tif 000004
【図３】
2016139780.tif 000005
【図４】
2016139780.tif 000006
【図５】
2016139780.tif 000007
【図６】
2016139780.tif 000008
【図７】
2016139780.tif 000009
【図８】
2016139780.tif 000010
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
入光面と、出光面と、該出光面の反対面である背面とを有する導光板、
光源と、前記光源を実装した基板とを有し、前記光源が前記導光板の前記入光面と対向すべく設けられた光源部、
前記導光板の前記出光面の周縁を覆う遮蔽部を備える枠体、及び
前記光源部の前記基板を支持する放熱体
を備え、
前記枠体は、前記光源部と前記入光面との間に配され、前記入光面が前記光源に接触することを防止する接触防止部を有し、
前記放熱体及び前記接触防止部における前記光源に臨む部位はそれぞれ光反射性を有する、光源装置。
【請求項２】
前記接触防止部は、光反射性樹脂により形成されている、請求項１に記載の光源装置。
【請求項３】
前記放熱体は、
前記光源に向かって突設された突設部と、
該突設部における前記光源の対向面に貼着された、光を反射する反射性シートと
を備える、請求項１又は２に記載の光源装置。
【請求項４】
光学シートをさらに備え、前記遮蔽部が前記光学シートを保持するシート保持部を有する、請求項１〜３の何れか一項に記載の光源装置。
【請求項５】
前記基板は短冊状であり、前記光源は前記基板の長手方向に沿って該基板上に実装された複数のＬＥＤを備え、
前記接触防止部は、前記複数のＬＥＤを囲繞する周壁を備える、請求項１〜４の何れか一項に記載の光源装置。
【請求項６】
前記基板は短冊状であり、前記光源は前記基板の長手方向に沿って該基板上に実装された複数のＬＥＤを備え、
前記接触防止部は、前記複数のＬＥＤの夫々を囲繞する複数の周壁を備える、請求項１〜４の何れか一項に記載の光源装置。
【請求項７】
請求項１〜６の何れか一項に記載の光源装置と、
該光源装置が備える前記導光板の出光面と対向配置された表示パネルと
を備える、表示装置。
【請求項８】
前記枠体の前記遮蔽部が、前記表示パネルを保持するパネル保持部を有する、請求項７に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、エッジライト方式の光源装置及び表示装置に関する。
【背景技術】
【０００２】
液晶テレビジョン等の薄型と称される液晶の表示装置は、映像を表示する表示面を正面側に有し、略直方体をなす表示パネルと、表示パネルの背面側に配され、表示パネルに対して光を照射する光源装置とを備える。
【０００３】
光源装置は、表示パネルの背面側に拡散板及び該拡散板を支持する支持体を配し、拡散板の背面側に冷陰極蛍光ランプ（ＣＣＦＬ）、発光ダイオード（ＬＥＤ）等の光源を配置する直下ライト方式と、表示パネルの背面側に導光板及び該導光板を支持する支持体を配し、導光板の側面に対向させて発光ダイオードを配置するエッジライト方式とが一般に採用されている（例えば、特許文献１参照）。
【０００４】
エッジライト方式の光源装置は、発光ダイオードが導光板の側面と対向するように複数並置され、導光板の側面から入光した光を、導光板内を拡散させながら導光板の一面から出光するため、拡散板の背面側に光源が複数並置される直下ライト方式に比べて表示装置の表裏厚さを薄くすることができ、薄型化を促進する点でエッジライト方式を採用するのが有利である。
【先行技術文献】
【特許文献】
【０００５】
【特許文献１】特開２００８−３００１７０号公報
【発明の概要】
【発明が解決しようとする課題】
【０００６】
直下ライト方式の光源装置では、冷陰極蛍光ランプ又は発光ダイオードが拡散板の全面と対向するように複数並置されているため、光源部が発光する際に発生する熱が金属板製の支持体の全体に伝導され、支持体の全体において放熱が可能となる。
【０００７】
一方、エッジライト方式の光源装置では、光源部と導光板との間隔が広い場合には光の入光効率が低下し、要求輝度を満足することができないため、一般的には光源部と導光板との間隔を狭く設計してあることが多い。このため、光源部が発光する際に発生する熱は導光板に伝導することになるが、導光板の線膨張係数は高いため、光源部からの熱により導光板は膨張して光源部に接触し、光源部を破損させる可能性があった。
【０００８】
本発明は、斯かる事情に鑑みてなされたものであり、光源からの熱により導光板が膨張したとしても、導光板が光源に接触することを防止することができる光源装置及び表示装置を提供することを目的とする。
【課題を解決するための手段】
【０００９】
本願の光源装置は、導光板と、該導光板の側面に対向配置された光源とを備え、前記側面から入射した前記光源からの光を前記導光板の一面側へ出射する光源装置において、前記導光板の周縁を前記一面側から覆う枠体と、前記光源を前記導光板の他面側から支持する放熱体とを備え、前記枠体は、前記光源と前記側面との間に配され、前記側面が前記光源に接触することを防止する接触防止部を有し、前記放熱体及び前記接触防止部における前記光源に臨む部位はそれぞれ光反射性を有することを特徴とする。
【００１０】
本願の光源装置は、前記接触防止部は、光反射性樹脂により形成されていることを特徴とする。
【００１１】
本願の光源装置は、前記放熱体は、前記接触防止部の側へ突設された突設部と、該突設部における前記接触防止部との対向面に貼着された光反射性シートとを備えることを特徴とする。
【００１２】
本願の光源装置は、前記光源は、短冊状の基板と、該基板の長手方向に沿って実装された複数のＬＥＤとを備え、前記接触防止部は、前記複数のＬＥＤを囲繞する周壁を備えることを特徴とする。
【００１３】
本願の光源装置は、前記光源は、短冊状の基板と、該基板の長手方向に沿って実装された複数のＬＥＤとを備え、前記接触防止部は、前記複数のＬＥＤの夫々を囲繞する複数の周壁を備えることを特徴とする。
【００１４】
本願の表示装置は、前述の光源装置と、該光源装置が備える導光板の一面側に対向配置された表示パネルとを備えることを特徴とする。
【発明の効果】
【００１５】
本願によれば、光源からの熱により導光板が膨張したとしても、導光板が光源に接触することを防止することができ、しかも光源から発せられる光の利用効率を高めることができる。
【図面の簡単な説明】
【００１６】
【図１】実施の形態１に係る表示装置の分解斜視図である。
【図２】実施の形態１に係る表示装置の縦断面図である。
【図３】実施の形態１に係る表示装置の一部を拡大して示す縦断面図である。
【図４】図３のＩＶ−ＩＶ線における断面図である。
【図５】実施の形態２に係る表示装置の一部を拡大して示す縦断面図である。
【図６】図５のＶＩ−ＶＩ線における断面図である。
【図７】実施の形態３における接触防止部を示す断面図である。
【図８】実施の形態４における接触防止部を示す断面図である。
【発明を実施するための形態】
【００１７】
以下、本発明をその実施の形態を示す図面に基づいて具体的に説明する。
（実施の形態１）
図１は実施の形態１に係る表示装置の分解斜視図であり、図２は実施の形態１に係る表示装置の縦断面図である。本実施の形態に係る表示装置は、矩形板状の液晶パネル１と、液晶パネル１の背面側に配置されるエッジライト方式の光源装置２とを備えた液晶表示装置である。
【００１８】
液晶パネル１は、例えば２次元マトリクス状に配列された複数の液晶表示素子を備える矩形状の表示パネルである。
【００１９】
液晶パネル１と光源装置２との間には光学シート群３が配置される。光学シート群３は、例えば、拡散シート３１、プリズムシート３２、及び偏光シート３３を含む。拡散シート３１は、例えば、ＰＥＴ製フィルムまたはＰＣ製フィルムであり、導光板２２から入光する光を拡散させる機能を有する。プリズムシート３２は、例えば、ポリエステル製のシート材の片面にアクリル樹脂で規則的なプリズムパターンを成形してなるシートである。偏光シート３３は、例えば、ポリエチレンナフタレート製フィルムであり、液晶パネル１に入光させる光を直線偏光に変換する機能を有する。
【００２０】
光源装置２は、光源部２１、導光板２２、ヒートスプレッダ２３、バックライトシャーシ２４、パネルシャーシ２５等を備え、光源部２１から出射される光を導光板２２により液晶パネル１側（正面側）へ導き、光学シート群３を透過させた光を液晶パネル１に照射する。
【００２１】
光源部２１は、短冊状の基板２１０と、基板２１０の長手方向に沿って略等間隔に実装された複数のＬＥＤチップ２１１，２１１，…，２１１とを有する。ＬＥＤチップ２１１は、例えば、発光ダイオード素子と、当該発光ダイオード素子を覆う蛍光体と、これらを収容する収容体とをパッケージ化したものである。各ＬＥＤチップ２１１は、扁平な直方体形状であり、例えば、基板２１０の長手方向に５ｍｍ、短手方向に３ｍｍ、基板面からの高さが１ｍｍ程度の寸法を有する。
【００２２】
導光板２２は、透明度の高いアクリル樹脂、ポリカーボネート樹脂等の合成樹脂製であり、矩形板状に形成されている。導光板２２の１つの側面２２１は、光源部２１のＬＥＤチップ２１１，２１１，…，２１１と対向するように配置され、導光板２２の背面には高反射性を有する合成樹脂製の反射シート２７が設けられている。導光板２２の厚みは、例えば４〜５ｍｍ程度であり、ＬＥＤチップ２１１の幅より少しだけ広いものが用いられる。
【００２３】
導光板２２は、側面２２１から入射した光源部２１からの光を正面側（液晶パネル１側）へ出射する。このため、導光板２２は、側面２２１から入光した光を正面側へ出射させるための採光要素を備える。採光要素としては、導光板２２の背面側に印刷、成形などによって形成された光散乱構造体、導光板２２の内部に形成された光散乱構造体、光の導光方向を変化させる光学要素などを用いることができる。導光板２２の採光要素によって散乱した光、及び反射シート２７の表面で反射した光は、正面側へ射出される。
【００２４】
なお、本実施の形態では、導光板２２の１つの側面２２１（例えば、表示装置の下端側の側面）に対向するように光源部２１を配置する構成について説明を行うが、導光板２２の対向する２つの側面（例えば、表示装置の下端側及び上端側の側面）のそれぞれに対向するように光源部２１を２つ配置する構成であってもよい。
【００２５】
ヒートスプレッダ２３は、浅底の箱形状をなす放熱体である。ヒートスプレッダ２３は、例えば熱伝導性に優れたアルミニウム等により形成されており、導光板２２より少しだけ大きい矩形状の底板部２３１と、底板部２３１の周縁部から導光板２２側に立ち上げた４つの側壁部２３２，２３２，２３２，２３２とを備える。
【００２６】
４つの側壁部２３２，２３２，２３２，２３２のうち、１つの側壁部２３２（例えば、下端側の側壁部２３２）の内周面２３２ａには、１又は複数のビス孔（不図示）が設けられている。また、光源部２１の基板２１０は、ヒートスプレッダ２３側のビス孔に対応した１又は複数の挿通孔（不図示）を有する。光源部２１は、側壁部２３２の内周面２３２ａが備えるビス孔を通じて基板２１０がビス止めされることによって、ヒートスプレッダ２３により支持される。以上の構成により、光源部２１にて発生した熱は、ヒートスプレッダ２３を通じて外部へ放出される。
【００２７】
ヒートスプレッダ２３の底板部２３１は、光源部２１と導光板２２の側面２２１との間にて、光源部２１側へ突設された突設部２３３を備える。突設部２３３は、ＬＥＤチップ２１１に接触しない程度の高さを有し、ＬＥＤチップ２１１を臨む部位２３３ａには反射シート２３４が貼着されている。よって、光源部２１から発せられる光の一部は、導光板２２の背面側へ抜けることなく、反射シート２３４の表面にて反射され、導光板２２の側面２２１に入射する。
【００２８】
バックライトシャーシ２４は、ヒートスプレッダ２３の底板部２３１と導光板２２との間に介在し、導光板２２を反射シート２７側から支持する支持部材である。
【００２９】
パネルシャーシ２５は、ヒートスプレッダ２３より少しだけ大きい額縁状の枠体であり、例えば白色系の樹脂により成形される。パネルシャーシ２５は、例えば、光源部２１及び導光板２２がヒートスプレッダ２３及びバックライトシャーシ２４により支持された状態にて、導光板２２の周縁を表示装置の正面側から覆うようにヒートスプレッダ２３に取り付けられる。
【００３０】
パネルシャーシ２５は、開口部２５０を有する遮蔽部２５１と、遮蔽部２５１の周縁から垂直に連なる４つの側壁部２５２，２５２，２５２，２５２とを備える。遮蔽部２５１の正面側には、開口部２５０の周縁に沿って、液晶パネル１を保持するパネル保持部２５３、及び光学シート群３を保持するシート保持部２５４が設けられている。また、遮蔽部２５１の背面側には、光源部２１側へ突設された接触防止部２５５を備える。接触防止部２５５は、基板２１０の長手方向に沿う方向に延設されており、基板２１０の長手方向の幅と同程度の幅を有する。また、接触防止部２５５及びパネル保持部２５３の連接部にはアールが設けられている。
【００３１】
パネルシャーシ２５がヒートスプレッダ２３に取り付けられた場合、パネルシャーシ２５の側壁部２５２の内周面はヒートスプレッダ２３の側壁部２３２の外周面に当接し、遮蔽部２５１は導光板２２の周縁を覆うと共に、接触防止部２５５は導光板２２の側面２２１と光源部２１との間に位置するように構成されている。
【００３２】
また、パネルシャーシ２５のパネル保持部２５３及びシート保持部２５４には、それぞれ液晶パネル１及び光学シート群３が載置される。液晶パネル１及び光学シート群３がそれぞれパネル保持部２５３及びシート保持部２５４に載置された状態にて、ベゼル１０は光源装置２に取り付けられる。
【００３３】
ベゼル１０は、パネルシャーシ２５より少しだけ大きい額縁状の枠体である。ベゼル１０の背面側には、開口部に沿って、液晶パネル１の周縁に当接する当接部位１０１を備える。ベゼル１０は、光源装置２（パネルシャーシ２５のパネル保持部２５３）に載置された液晶パネル１の周縁を表示装置の正面側から覆う。ベゼル１０が光源装置２に取り付けられた場合、図２に示すように、ベゼル１０の当接部位１０１は液晶パネル１の周縁に当接し、ベゼル１０の内周面はパネルシャーシ２５の側壁部２５２の外周面に当接する。よって、液晶パネル１は、ベゼル１０の背面側の当接部位１０１と、パネルシャーシ２５のパネル保持部２５３との間に保持される。
【００３４】
以上により、本実施の形態に係る表示装置が構成される。表示装置は、光源装置２を用いて液晶パネル１の背面側から光を照射すると共に、液晶パネル１に配列されている各液晶表示素子を図に示していない駆動回路により駆動制御し、各液晶表示素子（各画素）における光の透過率を調整することにより、画像表示を行う。
【００３５】
図３は実施の形態１に係る表示装置の一部を拡大して示す縦断面図である。実施の形態１に係る表示装置は、パネルシャーシ２５の側壁部２５２の内周面がヒートスプレッダ２３の側壁部２３２の外周面に当接し、遮蔽部２５１が導光板２２の周縁を覆うと共に、接触防止部２５５は導光板２２の側面２２１と光源部２１との間に位置するように構成されている。パネルシャーシ２５は、例えば白色系の樹脂により成形されているため、光源部２１から発せられる光の一部は、パネルシャーシ２５を透過することなく、遮蔽部２５１（特に接触防止部２５５）の表面で反射され、導光板２２の側面２２１に入射する。
【００３６】
また、ヒートスプレッダ２３の底板部２３１は、光源部２１と導光板２２の側面２２１との間にて光源部２１側へ突設された突設部２３３を備える。この突設部２３３のＬＥＤチップ２１１を臨む部位２３３ａには、反射シート２３４が貼着されている。よって、光源部２１から発せられる光の一部は、導光板２２の背面側へ抜けることなく、反射シート２３４の表面で反射され、導光板２２の側面２２１に入射する。
【００３７】
よって、本実施の形態では、光源部２１から発せられる光が表示装置の正面側（表示画面側）に漏れることが防止されると共に、表示装置の正面側及び背面側へ照射される光をそれぞれ接触防止部２５５及び反射シート２３４で反射して導光板２２の側面２２１に入射させることで、光の利用効率を高めることができる。
【００３８】
なお、本実施の形態では、パネルシャーシ２５を白色系の樹脂で成形することにより、遮蔽部２５１（特に接触防止部２５５）にて光源部２１からの光を反射する構成としたが、接触防止部２５５のＬＥＤチップ２１１を臨む位置に反射シートを貼着することで光反射性を持たせる構成であってもよく、白色系の塗料を塗布することにより光反射性を持たせる構成であってもよい。
【００３９】
また、本実施の形態では、ＬＥＤチップ２１１を臨む突設部２３３の部位２３３ａに反射シート２３４を貼着する構成としたが、当該部位２３３ａに白色系の塗料を塗布することにより光反射性を持たせる構成であってもよく、当該部位２３３ａを鏡面仕上げとすることにより光反射性を持たせる構成としてもよい。
【００４０】
図４は図３のＩＶ−ＩＶ線における断面図である。接触防止部２５５と導光板２２との位置関係を説明するために、図４では、導光板２２の位置を破線により示している。本実施の形態では、光源部２１と導光板２２の側面２２１との間に接触防止部２５５が配されているため、光源部２１にて発生する熱により、導光板２２が面内方向に膨張した場合には、導光板２２の側面２２１は接触防止部２５５に当接することとなり、ＬＥＤチップ２１１への接触が避けられる。このため、本実施の形態では、導光板２２の熱膨張に伴うＬＥＤチップ２１１の破損を回避することができる。
また、図３に示すように、接触防止部２５５のパネル保持部２５３の連接部にはアールが設けられているので、導光板２２の側面２２１が接触防止部２５５に当接した場合であっても、連接部分に応力が集中することが回避され、接触防止部２５５の破損又は変形を防止することができる。
【００４１】
以上のように、本実施の形態では、光源部２１から表示装置の正面側及び背面側へ照射される光は、それぞれ接触防止部２５５及び反射シートにより反射され、導光板２２の側面２２１に入射する。これにより、光源部２１から照射される光の有効利用を図ることができると共に、表示装置の正面側へ光が漏れることに伴う表示品質の低下を抑制することができる。また、本実施の形態では、光源部２１から発せられる熱により導光板２２が面内方向に膨張した場合であっても、導光板２２の側面２２１は接触防止部２５５に接触することとなり、導光板２２の側面２２１がＬＥＤチップ２１１に接触することを防止することができるので、ＬＥＤチップ２１１の破損を回避することができる。
【００４２】
（実施の形態２）
実施の形態２では、光源部２１が備えるＬＥＤチップ２１１，２１１，…，２１１の周囲を接触防止部により囲繞した形態について説明する。なお、実施の形態２における表示装置は、接触防止部以外の構成は実施の形態１と同様である。したがって、以下の説明では、実施の形態１と共通する構成については同一の符号を付し、詳細な説明を省略する。
【００４３】
図５は実施の形態２に係る表示装置の一部を拡大して示す縦断面図であり、図６は図５のＶＩ−ＶＩ線における断面図である。実施の形態２に係る表示装置は、導光板２２の周縁を覆うパネルシャーシ２５を備える。パネルシャーシ２５は、例えば白色系の樹脂により成形され、遮蔽部２５１及び側壁部２５２を備える。パネルシャーシ２５における遮蔽部２５１は、実施の形態１と同様に、液晶パネル１を保持するパネル保持部２５３、及び光学シート群３を保持するシート保持部２５４を正面側に備え、導光板２２が光源部２１に接触することを防止するための接触防止部２５６を背面側に備える。
【００４４】
パネルシャーシ２５が取り付けられた場合、パネルシャーシ２５の側壁部２５２の内周面はヒートスプレッダ２３の側壁部２３２の外周面に当接し、遮蔽部２５１は導光板２２の周縁を覆うと共に、接触防止部２５６は導光板２２の側面２２１と光源部２１との間に位置するように構成されている。
【００４５】
接触防止部２５６は、ＬＥＤチップ２１１，２１１，…，２１１の周囲を囲繞する周壁を備える。接触防止部２５６が備える周壁は、ＬＥＤチップ２１１より正面側に位置する正面側周壁部２５６ａ、ＬＥＤチップ２１１より背面側に位置する背面側周壁部２５６ｂ、及びＬＥＤチップ２１１の側面側に位置する側壁部２５６ｃ，２５６ｄにより構成される。
【００４６】
以上の構成を備えるので、実施の形態２では、光源部２１から表示装置の正面側及び背面側へ照射される光は、それぞれ接触防止部２５６における正面側周壁部２５６ａ及び背面側周壁部２５６ｂの内周面で反射され、反射された光が導光板２２の側面２２１に入射する。また、光源部２１から側方に照射される光は、側壁部２５６ｃ，２５６ｄの内周面で反射され、反射された光が導光板２２の側面２２１に入射する。よって、実施の形態２では、実施の形態１と比較して、光源部２１から発せられる光の利用効率をより高めることができる。
【００４７】
また、本実施の形態では、光源部２１と導光板２２の側面２２１との間に接触防止部２５６が配されているため、光源部２１にて発生する熱により導光板２２が面内方向に膨張した場合、導光板２２の側面２２１は接触防止部２５６が備える正面側周壁部２５６ａ、背面側周壁部２５６ｂ、及び側壁部２５６ｃ，２５６ｄに当接する。よって、導光板２２の側面２２１がＬＥＤチップ２１１に接触することを防止することができ、ＬＥＤチップ２１１の破損を回避することができる。
【００４８】
（実施の形態３）
実施の形態３では、光源部２１が備えるＬＥＤチップ２１１，２１１，…，２１１の夫々を接触防止部により囲繞した形態について説明する。なお、実施の形態３における表示装置は、接触防止部以外の構成は実施の形態１と同様である。したがって、以下の説明では、実施の形態１と共通する構成については同一の符号を付し、詳細な説明を省略する。
【００４９】
図７は実施の形態３における接触防止部２５７を示す断面図である。実施の形態３における接触防止部２５７は、ＬＥＤチップ２１１，２１１，…，２１１のそれぞれを囲繞する周壁を備える。接触防止部２５７が備える周壁は、ＬＥＤチップ２１１より正面側に位置する正面側周壁部２５７ａ、ＬＥＤチップ２１１より背面側に位置する背面側周壁部２５７ｂ、表示装置の側面側に位置する側壁部２５７ｃ，２５７ｄ、及び隣り合う２つのＬＥＤチップ２１１，２１１の間に位置する区画壁２５７ｅ，２５７ｅ，…，２５７ｅにより構成される。
【００５０】
以上の構成を備えるので、実施の形態３では、光源部２１から表示装置の正面側及び背面側へ照射される光は、それぞれ接触防止部２５７における正面側周壁部２５７ａ及び背面側周壁部２５７ｂの内周面で反射され、反射された光が導光板２２の側面２２１に入射する。また、光源部２１から側方に照射される光は、側壁部２５７ｃ，２５７ｄの内周面、または、区画壁２５７ｅ，２５７ｅ，…，２５７ｅの表面で反射され、反射された光が導光板２２の側面２２１に入射する。よって、実施の形態３では、光源部２１から発せられる光は導光板２２の側面２２１に漏れなく入射し、光の利用効率をより高めることができる。
【００５１】
また、本実施の形態では、光源部２１と導光板２２の側面２２１との間に接触防止部２５７が配されているため、光源部２１にて発生する熱により導光板２２が面内方向に膨張した場合、導光板２２の側面２２１は接触防止部２５７が備える正面側周壁部２５７ａ、背面側周壁部２５７ｂ、側壁部２５７ｃ，２５７ｄ、及び各区画壁２５７ｅ，２５７ｅ，…，２５７ｅに当接する。よって、導光板２２の側面２２１がＬＥＤチップ２１１に接触することを防止することができ、ＬＥＤチップ２１１の破損を回避することができる。
【００５２】
（実施の形態４）
実施の形態４では、光源部２１が備えるＬＥＤチップ２１１，２１１，…，２１１の一部を接触防止部材により囲繞した形態について説明する。なお、実施の形態４における表示装置は、接触防止部以外の構成は実施の形態１と同様である。したがって、以下の説明では、実施の形態１と共通する構成については同一の符号を付し、詳細な説明を省略する。
【００５３】
図８は実施の形態４における接触防止部２５８を示す断面図である。実施の形態４における接触防止部２５８は、ＬＥＤチップ２１１，２１１，…，２１１の一部を囲繞する周壁を備える。接触防止部２５８が備える周壁は、ＬＥＤチップ２１１より正面側に位置する正面側周壁部２５８ａ、表示装置の側面側に位置する側壁部２５８ｂ，２５８ｃ、及び隣り合う２つのＬＥＤチップ２１１，２１１の間に位置する脚壁部２５８ｄ，２５８ｄ，…，２５８ｄにより構成される。
【００５４】
以上の構成を備えるので、実施の形態４では、光源部２１から表示装置の正面側及び背面側へ照射される光は、それぞれ接触防止部２５８における正面側周壁部２５８ａの内周面及びヒートスプレッダ２３の突設部２３３に貼着された反射シート２３４により反射され、反射された光が導光板２２の側面２２１に入射する。また、光源部２１から側方に照射される光は、側壁部２５８ｂ，２５８ｃの内周面、または、脚壁部２５８ｄ，２５８ｄ，…，２５８ｄの表面で反射され、反射された光が導光板２２の側面２２１に入射する。よって、実施の形態４では、光源部２１から発せられる光は導光板２２の側面２２１に漏れなく入射し、光の利用効率をより高めることができる。
【００５５】
また、本実施の形態では、光源部２１と導光板２２の側面２２１との間に接触防止部２５８が配されているため、光源部２１にて発生する熱により導光板２２が面内方向に膨張した場合、導光板２２の側面２２１は接触防止部２５８が備える正面側周壁部２５８ａ、側壁部２５８ｂ，２５８ｃ、及び各脚壁部２５８ｄ，２５８ｄ，…，２５８ｄに当接する。よって、導光板２２の側面２２１がＬＥＤチップ２１１に接触することを防止することができ、ＬＥＤチップ２１１の破損を回避することができる。
【００５６】
今回開示された実施の形態は、全ての点で例示であって、制限的なものではないと考えられるべきである。本発明の範囲は、上述した意味ではなく、請求の範囲によって示され、請求の範囲と均等の意味及び範囲内での全ての変更が含まれることが意図される。また、各実施の形態で記載されている技術的特徴は、お互いに組み合わせることが可能である。
【００５７】
例えば、本実施の形態では、光源部２１としてＬＥＤチップ２１１を採用した構成について説明したが、冷陰極蛍光ランプ（ＣＣＦＬ：Cold Cathode Fluorescent Lamp）、外部電極蛍光ランプ（ＥＥＦＬ：External Electrode Fluorescent Lamp）、熱陰極蛍光ランプ（ＨＣＦＬ：Hot Cathode Fluorescent Lamp）等を採用する構成であってもよい。
【符号の説明】
【００５８】
１  液晶パネル
２  光源装置
２１  光源部
２２  導光板
２３  ヒートスプレッダ
２４  バックライトシャーシ
２５  パネルシャーシ
２３３  突設部
２３４  反射シート
２５５  接触防止部
【国際調査報告】
2016139780.tif 000011
2016139780.tif 000012